(57)【特許請求の範囲】
【請求項１】
通帳の磁気ストライプデータのリード・ライトを行う磁気ヘッドと、通帳のページマークを読み取るページマーク読み取り部と、通帳に所定の印字を行う印字ヘッドと、通帳の改ページ及び通帳の開閉を行う改ページ手段とを具備し、
複数の取引科目に対応して各取引科目専用のページを設けた通帳に対して処理を行う通帳処理装置において、
閉じた状態の通帳の略中央部分を上方から回転部材で押さえながら、該回転部材の回転により平面上で回転させて、通帳の前後の方向を反転させる通帳反転手段とを備え、
一方の表紙側から開いた通帳のページに該当する取引科目の処理を行い、連続して当該通帳に別の取引科目の処理を行うときは、前記通帳を前記改ページ手段で閉じた後、前記通帳反転手段で前記通帳の前後方向を反転させ、前記改ページ手段でもう一方の表紙側から目的とするページまで改ページして該当する取引科目の処理を行うことを特徴とする通帳処理装置。
【請求項２】
請求項１記載の通帳処理装置において、
前記通帳反転手段を、前記磁気ヘッド、前記ページマークを読み取り部、前記印字ヘッド、及び前記改ページ手段と共に、同一の通帳走行路上に配置したことを特徴とする通帳処理装置。
【発明の詳細な説明】
【０００１】
【発明の属する技術分野】
本発明は、通帳処理装置に関するもので、特に、自動取引装置に搭載される通帳処理装置に関する。
【０００２】
【従来の技術】
図７は通帳の一例を示す斜視図である。
金融機関で使われる通帳１には、表紙および裏表紙の両方から使える構造となっているものがある。２は表紙側から開いて使用する普通預金のページであり、裏表紙に貼り付けられた磁気ストライプ３により取引される。４は裏表紙側から開いて使用する定期預金のページであり、表紙に貼り付けられた磁気ストライプ５によって取引される。６は普通預金側のページを示すページマーク、７は定期預金側のページを示すページマークである。
【０００３】
従来の通帳処理装置では、普通預金を用いた取引と定期預金を用いた取引を連続して行う場合、一方の取引が終了すると、通帳を一旦排出し、逆方向からの挿入を行わせて、他方の取引を行うようになっていた。
例えば普通預金の側のページ２を開いた状態で通帳１を挿入させ、磁気ストライプ３に対するデータのリードライトおよびページ２への印字を行い、普通預金の取引が終了すると、通帳１を一旦排出し、定期預金側のページ４を開いた状態で逆方向から通帳１を挿入させ、磁気ストライプ５に対するデータのリードライトおよびページ４への印字を行い、定期預金の取引が終了すると通帳１を排出するものであった。
【０００４】
【発明が解決しようとする課題】
上述したように、従来の通帳処理装置であると、１つの通帳で２種類の取引を行える通帳であっても、２種類の取引を連続して行う場合、一旦通帳を返却し、顧客が所定のページを開いて逆方向から挿入するという手順が必要で、操作が煩わしいという問題がある。
【０００５】
【課題を解決するための手段】
上述した課題を解決するため、本発明は、通帳の磁気ストライプデータのリード・ライトを行う磁気ヘッドと、通帳のページマークを読み取るページマーク読み取り部と、通帳に所定の印字を行う印字ヘッドと、通帳の改ページ及び通帳の開閉を行う改ページ手段とを具備し、複数の取引科目に対応して各取引科目専用のページを設けた通帳に対して処理を行う通帳処理装置において、閉じた状態の通帳の略中央部分を上方から回転部材で押さえながら、該回転部材の回転により平面上で回転させて、通帳の前後の方向を反転させる通帳反転手段とを備え、一方の表紙側から開いた通帳のページに該当する取引科目の処理を行い、連続して当該通帳に別の取引科目の処理を行うときは、前記通帳を前記改ページ手段で閉じた後、前記通帳反転手段で前記通帳の前後方向を反転させ、前記改ページ手段でもう一方の表紙側から目的とするページまで改ページして該当する取引科目の処理を行うことを特徴とする。
【０００６】
【発明の実施の形態】
図１は本発明の通帳処理装置の第１の実施の形態を示す説明図で、図１（ａ）は平面図、図１（ｂ）は側面図である。
図において、１１は通帳挿入排出口、１２は通帳走行路であり、通帳挿入排出口１２から挿入された通帳は、図示しない駆動機構により通帳走行路１２を搬送される。１３は磁気ストライプリードライト部であり、磁気ヘッド１４を図７で説明した通帳１の磁気ストライプ３もしくは５に沿った矢印方向に移動させることで、データのリードライトを行う。１５はページマーク読み取り部、１６は印字ヘッドであり、印字ヘッド１６は矢印方向に移動して印字を行う。
【０００７】
１７は改ページ部で、改ページローラ１８を動作させることにより、通帳１の表紙もしくは裏表紙を開く機構、中紙の改ページを行う機構、表紙もしくは裏表紙を中紙とともに一括して閉じる機構が実現される。
１９は通帳反転部であり、閉じた状態の通帳１の表紙もしくは裏表紙に反転部材２０を押し当て、モータ等の駆動部２１により該反転部材２０を回転させることで、通帳１を回転させることができる。
【０００８】
図２は上述した第１の実施の形態の通帳処理装置の動作を示すフローチャートである。
まず、顧客は印字すべきページを開いた通帳１を通帳挿入排出口１１から挿入する（ＳＡ１）。図３は通帳の挿入および排出状態を示す説明図で、図３（ａ）に挿入時の状態、図３（ｂ）に排出時の状態を示す。顧客はまず図３（ａ）に示すように、普通預金のページ２を開いて通帳１を通帳挿入排出口１１から挿入する。
【０００９】
通帳１が挿入されると、磁気ストライプリードライト部１３で磁気ヘッド１４により磁気ストライプ３をリードした後、上位ホストとの通信で口座番号等のチェックを行う（ＳＡ２）。次に、ページマーク読み取り部１５によりページマーク６をリードしチェックした後（ＳＡ３）、通帳１を印字ヘッド１６のところに搬送して上位の指示により所定の印字データを印字する。なお、普通預金側のページ２において、未記帳データが多く、ページが一杯になった場合、通帳１を改ページ部１７に搬送し、改ページローラ１８の回転動作と通帳１の搬送動作を組み合わせて１ページめくった後、印字ヘッド１６のところに戻して印字を行う（ＳＡ４）。そして、普通預金側のページ２に対する印字が終了した後、通帳１を磁気ストライプリードライト部１３に搬送して磁気ストライプ３の更新を行い（ＳＡ５）、普通預金側のページ２を用いた取引を完了する。
【００１０】
普通預金側のページ２を用いた取引が完了した後、定期預金側のページ４に未記帳データがある場合や、続けて定期預金側のページ４を用いた取引を行う場合（ＳＡ６）、通帳１を改ページ部１７に搬送する。
図４は通帳閉動作を示す説明図で、通帳１を閉じる場合、図４（ａ）に示すように、通帳走行路１２の上側にある改ページローラ１８を通帳走行路１２の下側に移動させた後、図４（ｂ）に示すように、通帳１の閉じる側、図２の動作の説明では、裏表紙側がこの通帳走行路１２の下側に移動させた改ページローラ１８のところにくるように通帳１を搬送する。そして、通帳走行路１２の下側に移動させた改ページローラ１８を上側に向けて移動させることで、図４（ｃ）に示すように、通帳１の裏表紙側を持ち上げる。このとき、通帳１の綴じ部を挟んだ表紙側は、別の改ページローラ１８により押さえて持ち上がらないようにする。次に、図４（ｄ）に示すように、通帳１を矢印方向に搬送することで、開いた状態の通帳１は裏表紙が上になるようにして閉じられる（ＳＡ７）。
【００１１】
通帳１の閉動作が完了すると、この閉じた通帳１を通帳反転部１９へ搬送し、反転部材２０を裏表紙に押し当てて、該反転部材２０を回転させることで、通帳１を水平状態で１８０度回転させる（ＳＡ８）。図５は通帳反転動作を示す説明図で、図５（ａ）に示すように、裏表紙が上となるように閉じられた通帳１を１８０度反転させることで、図５（ｂ）に示すように、表紙側の磁気ストライプ５の位置が磁気ヘッド１４が設けられる側に移動してくる。
【００１２】
通帳１の反転動作が完了すると、該通帳１を改ページ部１７に搬送し、改ページローラ１８を回転させることで、裏表紙を開く（ＳＡ９）。
裏表紙の開動作が完了すると、通帳１を磁気ストライプリードライト部１３に搬送して、磁気ストライプ５をリードし（ＳＡ１０）、上位ホストとの通信で口座番号等をチェックして取引データをもらう。次にページマーク読み取り部１５によりページマーク７をリードしチェックした後（ＳＡ１１）、通帳１を改ページ部１７に搬送して、改ページローラ１８の回転動作と通帳１の搬送動作を組み合わせて所定のページまで改ページした後（ＳＡ１２）、通帳１を印字ヘッド１６のところに搬送して所定の印字データを印字する。なお、定期預金側のページ４において、未記帳データが多く、ページが一杯になった場合、通帳１を改ページ部１７に搬送し、改ページローラ１８の回転動作と通帳１の搬送動作を組み合わせて１ページめくった後、印字ヘッド１６のところに戻して印字を行う（ＳＡ１３）。そして、定期預金側のページ４に対する印字が終了した後、通帳１を磁気ストライプリードライト部１３に搬送して磁気ストライプ５の更新を行い（ＳＡ１４）、定期預金側のページ４を用いた取引を完了する。そして、通帳１を通帳挿入排出口１１から排出する。このとき、通帳１は図３（ｂ）に示す状態で排出される。
【００１３】
なお、前記ＳＡ６の分岐処理で、定期預金側の処理がないと判断すると、通帳１を閉じたり反転させることなく、図３（ａ）に示す状態で排出する（ＳＡ１５）。
以上説明した本発明の第１の実施の形態によれば、通帳処理装置内に通帳を反転させる機構を設けたので、表紙と裏表紙の両方に磁気ストライプを持つ通帳を、一旦排出することなく、両方とも処理できるようになり、顧客にとって煩わしさがなくなる。また、通帳を反転させることで磁気ストライプリードライト機構は１組で済み、かつ、通帳を閉じた状態で反転させることで反転に要するスペースも少なくて済むので、装置が大型化することもない。さらに、通帳を閉じるとき、表紙もしくは裏表紙と中紙を一度に閉じる機構を設けたので、通帳閉動作に時間がかかることもなく、処理時間を短縮できる。
【００１４】
図６は第２の実施の形態の通帳処理装置の動作を示すフローチャートである。ここで、第２の実施の形態の通帳処理装置の構成は、図１で説明したものと同様であるが、通帳処理装置を制御する制御部では、通帳１のページ構成、例えば、裏表紙から何枚目までが定期預金用のページ４であるか等のデータを認識するため、ページマークとそのページマークが設けられたページの内容を対応付けたページ構成記憶手段を備えている。
【００１５】
以下に動作を説明する。
まず、顧客は印字すべきページを開いた通帳１を通帳挿入排出口１１から挿入する（ＳＢ２）。ここでは、図２の場合と同様に、顧客はまず図３（ａ）に示すように、普通預金のページ２を開いて通帳１を通帳挿入排出口１１から挿入する。
【００１６】
通帳１が挿入されると、磁気ストライプリードライト部１３で磁気ヘッド１４により磁気ストライプ３をリードした後、上位ホストとの通信で口座番号等のチェックを行い、普通預金側の取引データをもらう。このとき、定期預金側で未記帳データがある場合等、続けて定期預金側の取引を行う場合は、定期預金側の取引データももらう（ＳＢ２）。次に、ページマーク読み取り部１５によりページマーク６をリードしチェックした後（ＳＢ３）、通帳１を印字ヘッド１６のところに搬送して上位の指示により所定の印字データを印字する。なお、普通預金側のページ２において、未記帳データが多く、ページが一杯になった場合、通帳１を改ページ部１７に搬送し、改ページローラ１８の回転動作と通帳１の搬送動作を組み合わせて１ページめくった後、印字ヘッド１６のところに戻して印字を行う（ＳＢ４）。そして、普通預金側のページ２に対する印字が終了した後、通帳１を磁気ストライプリードライト部１３に搬送して磁気ストライプ３の更新を行い（ＳＢ５）、普通預金側のページ２を用いた取引を完了する。
【００１７】
普通預金側のページ２を用いた取引が完了した後、定期預金側のページ４に未記帳データがある場合や、続けて定期預金側のページ４を用いた取引を行う場合（ＳＢ６）、通帳１を改ページ部１７に搬送し、図４で説明した動作により、開いた状態の通帳１を裏表紙が上になるようにして閉じる（ＳＢ８）。
通帳１の閉動作が完了すると、この閉じた通帳１を通帳反転部１９へ搬送し、反転部材２０を裏表紙に押し当てて、該反転部材２０を回転させることで、通帳１を水平状態で１８０度回転させる（ＳＢ８）。
【００１８】
通帳１の反転動作が完了すると、該通帳１を改ページ部１７に搬送し、改ページローラ１８を回転させることで、裏表紙を開く（ＳＢ９）。
通帳処理装置を制御する制御部では、通帳１のページ構成、例えば、裏表紙から何枚目までが定期預金用のページ４であるか等のデータを認識するためのページ構成記憶手段を備えており、上述したように、上位から定期預金側の取引データをもらう際、印字済行のデータが付加されていれば、この印字済行のデータとページ構成を参照して、必要な枚数の中紙を改ページする（ＳＢ１０）。
【００１９】
中紙の改ページ動作が完了すると、通帳１を磁気ストライプリードライト部１３に搬送して、磁気ストライプ５をリードし（ＳＢ１１）、上位ホストとの通信で口座番号等をチェックし、次にページマーク読み取り部１５によりページマーク７をリードしチェックした後（ＳＢ１２）、正しいページが開いていれば、通帳１を印字ヘッド１６のところに搬送して所定の印字データを印字する。なお、定期預金側のページ４において、未記帳データが多く、ページが一杯になった場合、通帳１を改ページ部１７に搬送し、改ページローラ１８の回転動作と通帳１の搬送動作を組み合わせて１ページめくった後、印字ヘッド１６のところに戻して印字を行う（ＳＢ１３）。そして、定期預金側のページ４に対する印字が終了した後、通帳１を磁気ストライプリードライト部１３に搬送して磁気ストライプ５の更新を行い（ＳＢ１４）、定期預金側のページ４を用いた取引を完了する。そして、通帳１を通帳挿入排出口１１から排出する。
【００２０】
なお、前記ＳＢ６の分岐処理で、定期預金側の処理がないと判断すると、通帳１を排出する（ＳＢ１５）。
以上説明した本発明の第２の実施の形態によれば、第１の実施の形態の効果に加え、処理している通帳のページ構成を参照して、通帳反転後に裏表紙をめくる際、中紙の改ページ動作を連続して行うので、通帳の移動回数を減らし、処理時間を短縮することが可能となる。
【００２１】
なお、上述した第１の実施の形態および第２の実施の形態において、普通預金側から取引を行う例を説明したが、定期預金側から取引を行う場合でもよい。
また、通帳は普通預金と定期預金の２種類が１つになっている例を説明したが、他の取引種別の組み合わせでもよく、さらに、３科目以上の通帳であってもよい。３科目以上の通帳の場合、片側から使用する科目が２種類以上となるが、こちら側は、通常の改ページ動作で複数科目の取引を連続して行うことが可能で、他方の側の科目を連続して行う場合は、上述した第１の実施の形態あるいは第２の実施の形態の動作を行うことで、通帳を一旦排出することなく連続して取引が可能となる。
【００２２】
また、本発明は通帳以外の冊子状媒体の処理に適用することも可能である。
【００２３】
【発明の効果】
以上説明したように、本発明は、一方の表紙側から開いた通帳のページに該当する取引科目の処理を行い、連続して当該通帳に別の取引科目の処理を行うときは、前記通帳を改ページ手段で閉じた後、通帳反転手段で前記通帳の前後方向を反転させ、前記改ページ手段でもう一方の表紙側から目的とするページまで改ページして該当科目の処理を行うようにしているため、表紙側からと裏表紙側からで別の科目の取引が行える構造の通帳を用いた取引で、両方の科目を連続して取引を行う場合、通帳を一旦排出することなく、通帳に対して処理を行うことが可能となり、顧客が通帳の再挿入を行う手間を省くことができる。
【図面の簡単な説明】
【図１】本発明の通帳処理装置の第１の実施の形態を示す説明図
【図２】第１の実施の形態の通帳処理装置の動作を示すフローチャート
【図３】通帳の挿入および排出状態を示す説明図
【図４】通帳閉動作を示す説明図
【図５】通帳反転動作を示す説明図
【図６】第２の実施の形態の通帳処理装置の動作を示すフローチャート
【図７】通帳の一例を示す斜視図である。
【符号の説明】
１２  通帳走行路
１３  磁気ストライプリードライト部
１４  磁気ヘッド
１５  ページマーク読み取り部
１６  印字ヘッド
１７  改ページ部
１８  改ページローラ
１９  通帳反転部
２０  反転部材
【図１】
0003606300.tif 000002
【図２】
0003606300.tif 000003
【図３】
0003606300.tif 000004
【図４】
0003606300.tif 000005
【図５】
0003606300.tif 000006
【図６】
0003606300.tif 000007
【図７】
0003606300.tif 000008